(57)【要約】【課題】流し台内の空間に、新鮮な水道水を貯留可能とする貯水容器を、容易に運搬可能で且つ前記空間から取り出した場合でも前記流し台の水栓への配管を断絶させない態様で、できるだけ数多く設置可能とする。【解決手段】流し台１に収納される複数の貯水容器２、２…と、前記流し台１のシンク１ｃに対して水道水を供給する水栓１ｂに接続された第一の配管４と、水道水の導入側となる第二の配管５とを有し、前記複数の貯水容器２、２…がそれぞれ、第一カプラ６によって前記第一の配管４に取り外し可能に接続されると共に、第二カプラ７によって前記第二の配管５に取り外し可能に接続されており、前記複数の貯水容器２、２…を介して前記水栓１ｂに水道水が供給されるようにしてなる。【選択図】図１
2015229909.tif 000002
【特許請求の範囲】
【請求項１】
流し台に収納される複数の貯水容器と、
前記流し台のシンクに対して水道水を供給する水栓に接続された第一の配管と、
水道水の導入側となる第二の配管とを有し、
前記複数の貯水容器がそれぞれ、第一カプラによって前記第一の配管に取り外し可能に接続されると共に、第二カプラによって前記第二の配管に取り外し可能に接続されており、
前記複数の貯水容器を介して前記水栓に水道水が供給されるようにしてなる、貯水システム。
【請求項２】
第一カプラ及び第二カプラはそれぞれ、ソケットとこのソケットに係脱自在にはめ込まれるプラグとから構成されており、
前記ソケット及び前記プラグの一方を前記貯水容器に、これらの他方を前記第一の配管又は第二の配管に備えさせており、
前記ソケット及び前記プラグはそれぞれバルブを内蔵しており、前記はめ込み時には前記バルブが開弁して前記貯水容器と前記第一の配管又は第二の配管とが連通され、前記ソケット内からの前記プラグの抜き出し時には前記バルブが閉弁するようになっている、請求項１に記載の貯水システム。
【請求項３】
底板と背板と左右側板とを備えると共に前記流し台側に固定される複数のホルダーを有し、各ホルダー内においてそれぞれ一つの前記貯水容器を前後方向にスライド移動可能に納めさせてなる、請求項１又は請求項２に記載の貯水システム。
【請求項４】
前記貯水容器の正面に取っ手部を備えさせてなる、請求項１〜請求項３のいずれか１項に記載の貯水システム。
【請求項５】
前記貯水容器の容量を２０リットル以下としてなる、請求項１〜請求項４のいずれか１項に記載の貯水システム。
【発明の詳細な説明】
【技術分野】
【０００１】
この発明は、流し台内の空間に収納される複数の貯水容器を備え、これら貯水容器を介して前記流し台の水栓に水道水が供給されるようにして、各貯水容器内に常に新鮮な水道水が蓄えられるようにすると共に、全部又は一部の貯水容器を前記空間から取り出しても前記水栓への水道水の供給が中断されないようにした貯水システムに関する。
【背景技術】
【０００２】
水栓に至る配管中にタンクを介在させ、地震などの災害時に断水が生じても一定量の水道水を水栓から供給できるようにしたものとして特許文献１及び特許文献２に示されるものがある。
【０００３】
しかし、このような断水時には水回りから離れた場所での水の使用も必要となるところ、特許文献１及び特許文献２のものでは前記配管からタンクを取り外してこれを運搬することは予定されていない。
【０００４】
特許文献３及び特許文献４のものは、タンクの運搬を予定しているが、タンクは単一であり、したがって、運搬を可能としながら貯留可能な水道水の量を充分に確保することに限界を有している。
【０００５】
前記のような配管中に複数の保水タンクをワンタッチ式継手を介して取り外し可能に組み込んだものとして特許文献５に示されるものがある。
【０００６】
しかし、この特許文献５のものは、複数の保水タンクは前記配管中にいわば直列に組み込まれているため、一つ保水タンクを取り外しが前記配管の断絶をもたらすものである。
【先行技術文献】
【特許文献】
【０００７】
【特許文献１】特開２０１３−１９９８１７号公報
【特許文献２】登録実用新案第３０３７４０１号公報
【特許文献３】登録実用新案第３０２１８８３号公報
【特許文献４】登録実用新案第３０３９６７９号公報
【特許文献５】特開２００２−３０７０４号公報
【発明の概要】
【発明が解決しようとする課題】
【０００８】
この発明が解決しようとする主たる問題点は、流し台内の空間に、新鮮な水道水を貯留可能とする貯水容器を、容易に運搬可能で且つ前記空間から取り出した場合でも前記流し台の水栓への配管を断絶させない態様で、できるだけ数多く設置可能とする貯水システムを提供する点にある。
【課題を解決するための手段】
【０００９】
前記課題を達成するために、この発明にあっては、貯水システムを、流し台に収納される複数の貯水容器と、
前記流し台のシンクに対して水道水を供給する水栓に接続された第一の配管と、
水道水の導入側となる第二の配管とを有し、
前記複数の貯水容器がそれぞれ、第一カプラによって前記第一の配管に取り外し可能に接続されると共に、第二カプラによって前記第二の配管に取り外し可能に接続されており、
前記複数の貯水容器を介して前記水栓に水道水が供給されるようにしてなる、ものとした。
【００１０】
前記水栓を開放して前記シンクに水道水を供給すると、これに伴って各貯水容器内の水道水も入れ替わる。これにより、各貯水容器内に常に新鮮な水道水が蓄えられるようにすることができる。また、各貯水容器はそれぞれ、前記第一カプラを介して前記第一の配管に接続され、また、前記第二カプラを介して前記第二の配管に接続されていることから、全部又は一部の貯水容器を前記空間から取り出しても前記水栓への水道水の供給が中断されることはない。
【００１１】
前記第一カプラ及び第二カプラをそれぞれ、ソケットとこのソケットに係脱自在にはめ込まれるプラグとから構成し、
前記ソケット及び前記プラグの一方を前記貯水容器に、これらの他方を前記第一の配管又は第二の配管に備えさせ、
さらに、前記ソケット及び前記プラグはそれぞれバルブを内蔵したものとし、前記はめ込み時には前記バルブが開弁して前記貯水容器と前記第一の配管又は第二の配管とが連通され、前記ソケット内からの前記プラグの抜き出し時には前記バルブが閉弁するようにしておくことが、この発明の好ましい態様の一つとされる。
【００１２】
また、底板と背板と左右側板とを備えると共に前記流し台側に固定される複数のホルダーを有し、各ホルダー内においてそれぞれ一つの前記貯水容器を前後方向にスライド移動可能に納めさせるようにしておくことが、この発明の好ましい態様の一つとされる。
【００１３】
前記貯水容器の正面に取っ手部を備えさせておけば、この取っ手部を利用して流し台内からの取り出しや、取り出した後の貯水容器の運搬などを、容易になすことができる。
【００１４】
また、前記貯水容器の容量は、その運搬の便宜を考慮すると、２０リットル以下としておくことが、の発明の好ましい態様の一つとされる。
【発明の効果】
【００１５】
この発明にかかる貯水システムによれば、流し台内の空間に、新鮮な水道水を貯留可能とする貯水容器を、容易に運搬可能で且つ前記空間から取り出した場合でも前記流し台の水栓への配管を断絶させない態様で、できるだけ数多く設置することができる。
【図面の簡単な説明】
【００１６】
【図１】図１は、この発明の一実施の形態にかかる貯水システムの側面構成図である。
【図２】図２は、前記貯水システムの要部側面構成図である。
【図３】図３は、前記貯水システムの要部平面構成図である。
【図４】図４は、前記貯水システムの要部平面構成図であり、図２におけるＡ−Ａ線位置より下方を見た状態を示している。
【図５】図５は、前記貯水システムを構成する貯水容器と第一の配管とを分離させた様子を示した要部破断平面構成図である。
【図６】図６は、前記貯水システムを構成する貯水容器と第一の配管とを接続させた様子を示した要部破断平面構成図である。
【図７】図７は、前記貯水システムを構成する貯水容器の斜視構成図である。
【発明を実施するための形態】
【００１７】
以下、図１〜図７に基づいて、この発明の典型的な実施の形態について、説明する。この実施の形態にかかる貯水システムは、流し台１内の空間１ａに収納される複数の貯水容器２、２…を備え、これら貯水容器２を介して前記流し台１の水栓１ｂに水道水が供給されるようにして、各貯水容器２内に常に新鮮な水道水が蓄えられるようにすると共に、全部又は一部の貯水容器２を前記空間１ａから取り出しても前記水栓１ｂへの水道水の供給が中断されないようにしたものである。
【００１８】
前記流し台１には、システムキッチンを構成するシンクを備えたキャビネットも含まれる。
【００１９】
図示の例では、流し台１のシンク下の空間１ａに、三つの貯水容器２…２を、収納させた例を示している。各貯水容器２は、実質的に六面体であり、幅広の左右側面２ａ、２ａと、これより幅狭の天面２ｂ、底面２ｃ、正面２ｄ及び背面２ｅとを備えた形態となっている。各貯水容器２は、同寸・同形のものとなっている。かかる貯水容器２は、典型的には、プラスチックにより構成される。
【００２０】
図示の例では、前記流し台１の空間１ａ内には、前記貯水容器２の数に対応したホルダー３が固定されている。各ホルダー３はそれぞれ、底板３ａと背板３ｂと左右側板３ｃ、３ｃとを備え、前方と上方を開放させている。各ホルダー３はそれぞれ、その底板３ａを流し台１の地板１ｄに密着させると共に、その側板３ｃを隣り合うホルダー３の側板３ｃに密着させて、前記空間１ａ内に並設されている（図３）。各ホルダー３の左右側板３ｃ、３ｃ間の距離は前記貯水容器２の左右側面２ａ，２ａ間の距離と実質的に一致しており（図３）、一つのホルダー３内にガタつき少なく一つの貯水容器２が納められるようになっている。かかるホルダー３は、典型的には、ステンレスなどの金属や、プラスチックにより構成される。各ホルダー３内においてはそれぞれ一つの前記貯水容器２が、その底面２ｃをホルダー３の底板３ａの上面に接しさせて、前後方向にスライド移動可能に納められる。
【００２１】
すなわち、各貯水容器２は、前記空間１ａに前記ホルダー３によって並列状態に収納されるようになっている。このように収納された各貯水容器２は、前記流し台１の前扉１ｅを開き、前方にスライド移動させることで、流し台１内から取り出せるようになっている。また、取り出した貯水容器２は、貯水容器２を収納していないホルダー３に対し、後方へのスライド移動により再度装填できるようになっている。図示の例では、各貯水容器２は、その正面２ｂに取っ手部２ｆを備えており、この取っ手部２ｆを利用して流し台１内からの取り出しや、取り出した後の貯水容器２の運搬、さらには、流し台１内への前記再装填を通じた収納などを、容易になせるようになっている。図示の例では、各貯水容器２は、正面２ｄの上部にコック２ｋ付きのキャップ２ｊにより閉塞された注ぎ口２ｉを有すると共に、正面２ｄの下部にキャップ２ｎにより閉塞された注ぎ口２ｍを有し、さらに、上下の注ぎ口２ｉ、２ｍ間に縦向きに配された棒状をなす把持部２ｇとこの把持部２ｇの上端を容器主体側に連接させる連接部２ｈとこの把持部２ｇの下端を容器主体側に連接させる連接部２ｈとからなる取っ手部２ｆを備えている（図７）。
【００２２】
かかる貯水容器２の容量は、その運搬の便宜を考慮すると、２０リットル以下であることが好ましい。
【００２３】
この実施の形態にかかる貯水システムは、前記複数の貯水容器２、２…と、前記流し台１のシンク１ｃに対して水道水を供給する水栓１ｂに接続された第一の配管４と、水道水の導入側となる第二の配管５とを有したものとなっている。それと共に、前記複数の貯水容器２、２…がそれぞれ、流体継ぎ手としての第一カプラ６によって前記第一の配管４に取り外し可能に接続されると共に、流体継ぎ手としての第二カプラ７によって前記第二の配管５に取り外し可能に接続されており、これによって、前記複数の貯水容器２、２…を介して前記水栓１ｂに水道水が供給されるようにしてなっている。
【００２４】
前記水栓１ｂを開放して前記シンク１ｃに水道水を供給すると、これに伴って各貯水容器２内の水道水も入れ替わる。これにより、各貯水容器２内に常に新鮮な水道水が蓄えられるようにすることができる。また、各貯水容器２はそれぞれ、前記第一カプラ６を介して前記第一の配管４に接続され、また、前記第二カプラ７を介して前記第二の配管５に接続されていることから、全部又は一部の貯水容器２を前記空間１ａから取り出しても前記水栓１ｂへの水道水の供給が中断されることはない。
【００２５】
前記第一カプラ６及び第二カプラ７はそれぞれ、ソケット８とこのソケット８に係脱自在にはめ込まれるプラグ９とから構成されている。また、前記ソケット８及び前記プラグ９の一方を前記貯水容器２に、これらの他方を前記第一の配管４又は第二の配管５に備えさせるようにしている。図示の例では、前記プラグ９を貯水容器２に、前記ソケット８を前記第一の配管４又は第二の配管５に備えさせるようにしている。前記ソケット８及び前記プラグ９はそれぞれバルブ８ａ、９ａを内蔵しており、前記はめ込み時には前記バルブ８ａ、９ａが開弁して前記貯水容器２、２…と前記第一の配管４又は第二の配管５とが連通され（図６）、前記ソケット８内からの前記プラグ９の抜き出し時には前記バルブ８ａ、９ａが閉弁して前記プラグ９及び前記ソケット８の接続用開放部を水密に封止するようになっている(図７）。図６及び図７は、貯水容器２と第一の配管４との接続箇所を示しているが、貯水容器２と第二の配管５との接続箇所もこれと同一構成となる。
【００２６】
図示の例では、プラグ９は、ナット状の中間鍔９ｂを有する筒状体であり、貯水容器２の背面２ｅに設けた貫通穴２ｏを通じて貯水容器２内に差し込ませた一端９ｃをナット止めして前記中間鍔９ｂから先の他端９ｄ側を貯水容器２の背面９ｅから後方に突き出させるようにして貯水容器２、２…に取り付けられている。図中符号９ｅは止水パッキンであり、符号９ｆは図示しない付勢手段の付勢により前記他端９ｄを常時閉塞する向きに付勢された前記バルブ９ａを構成する弁体であり、符号９ｇは前記中間鍔９ｂと他端９ｄとの間に形成された係合爪であり、符号９ｈは前記開弁時に機能するシールリングである（図５）。図示の例では、貯水容器２の上側に第一の配管４との接続をなす第一カプラ６を構成するプラグ９が備えられ、貯水容器２の下側に第二の配管５との接続をなす第二カプラ７を構成するプラグ９が備えられている。
【００２７】
一方、図示の例では、ソケット８も、ナット状の中間鍔８ｂを有する筒状体となっている。ソケット８は、ホルダー３の背板３ｂに設けた貫通穴３ｄを通じてホルダー３の外側に突き出させた一端８ｃをナット止めして前記中間鍔８ｂから先の他端８ｄ側をホルダー３の背板３ｂから前方に突き出させるようにホルダー３に取り付けられている。それと共に、ソケット８は、前記一端８ｃを前記第一の配管４又は第二の配管５に接続させている。ソケット８の他端８ｄは前記プラグ９の他端９ｄを受け入れる太さとなっている。図中符号８ｅは止水パッキンであり、符号８ｆは図示しない付勢手段の付勢により前記他端８ｄを常時閉塞する向きに付勢された前記バルブ８ａを構成する弁体であり、符号８ｇは前記中間鍔８ｂと他端８ｄとの間に形成された被係合部である。
【００２８】
図示の例では、ソケット８の被係合部８ｇは、環状体８ｈの内側に形成された突出部となっており、付勢手段としての圧縮コイルバネ８ｉの付勢によりソケット８の他端８ｄ側の内方に突き出すようになっている。ソケット８の他端８ｄ内にプラグ９の他端９ｄを差し込むと係合爪９ｇが被係合部８ｇに当たり前記バネ８ｉの付勢に抗して被係合部８ｇは外側に後退し、プラグ９の弁体９ｆをソケット８の弁体８ｆに突き当てる位置までのプラグ９の差し込みが許容されるようになっている。プラグ９をソケット８内に差し込みきると、プラグ９の弁体９ｆとソケット８の弁体８ｆとが共に後退しプラグ９のバルブ９ａ及びソケット８のバルブ８ａが共に開弁され、第一の配管４又は第二の配管５と貯水容器２、２…内とが連通されると共に、被係合部８ｇが前記バネ８ｉの付勢により前進してプラグ９の抜け出しを阻止するように係合爪９ｇに引っかかるようになっている。
【００２９】
このように前記第一カプラ６及び第二カプラ７を介して前記第一の配管４及び第二の配管５に接続された前記貯水容器２を、前記のように前方にスライド移動させると、前記係合爪９ｇが前記被係合部８ｇを押圧して前記被係合部８ｇを前記バネ８ｉの付勢に抗して後退させ前記ソケット８内からのプラグ９の抜け出しが許容されると共に、プラグ９の弁体９ｆ及びソケット８の弁体８ｆは前進してプラグ９のバルブ９ａ及びソケット８のバルブ８ａは共に閉弁される。
【００３０】
図示の例では、第一の配管４は流し台１内を左右方向に延びる下部４ａと、この下部４ａの一端側に接続されて上方に延び端末に前記水栓１ｂを備える上部４ｂとを有している。各貯水容器２は、第一の配管４の下部４ａにおける一端と他端との間において前記のように第一の配管４に接続される。図中符号４ｃは第一の配管４の下部の他端を閉塞するエンドキャップである。
【００３１】
また、図示の例では、第二の配管５は流し台１内において左右方向に延びており、各貯水容器２はかかる第二の配管５の水道水の導入側とエンドキャップ５ａで閉塞される端末との間において前記のように第二の配管５に接続される。
【００３２】
なお、当然のことながら、本発明は以上に説明した実施態様に限定されるものではなく、本発明の目的を達成し得るすべての実施態様を含むものである。
【符号の説明】
【００３３】
１  流し台
１ｂ  水栓
１ｃ  シンク
２  貯水容器
４  第一の配管
５  第二の配管
６  第一カプラ
７  第二カプラ
【図１】
2015229909.tif 000003
【図２】
2015229909.tif 000004
【図３】
2015229909.tif 000005
【図４】
2015229909.tif 000006
【図５】
2015229909.tif 000007
【図６】
2015229909.tif 000008
【図７】
2015229909.tif 000009